(57)【特許請求の範囲】
【請求項１】
電力変換装置であって、
スイッチングにより直流と交流を変換する複数のスイッチング素子と、
前記スイッチング素子とコンデンサとを含む単位ユニットと、
前記単位ユニットを少なくとも１つ含む単位アームと、
一対の前記単位アームの間に、漏れインダクタンス成分により短絡電流を抑制するように、一次巻線が接続されたトランスと、
を有し、
前記単位ユニットにおける前記スイッチング素子は、複数が直列に接続され、
前記単位ユニットにおける前記コンデンサは、前記スイッチング素子に並列に接続され、
前記単位アームにおける前記単位ユニットは、１つ若しくは複数直列に接続され、
前記一対の単位アームは、三相に対応して設けられ、
前記トランスは、各相ごとに２つ設けられた単相トランスであり、
各相における一方の単位アームの端部は、一方の単相トランスの一次巻線の正側に接続され、
各相における他方の単位アームの端部は、他方の単相トランスの一次巻線の正側に接続され、
各相における２つの単相トランスの一次巻線の負側同士は、互いに接続され、
各相における２つの単相トランスの一次巻線の負側は、三相間でも互いに接続され、
各相における２つの単相トランスの二次巻線同士は、互いに接続され、
各相における前記２つの単相トランスの二次巻線の負側は、三相間でも互いに接続されていることを特徴とする電力変換装置。
【請求項２】
各相における２つの単相トランスの二次巻線同士は、互いに直列に接続されていることを特徴とする請求項１記載の電力変換装置。
【請求項３】
各相における２つの単相トランスの二次巻線同士は、互いに並列に接続されていることを特徴とする請求項１記載の電力変換装置。
【請求項４】
各相における前記２つの単相トランスは、鉄心が共通であることを特徴とする請求項１〜３のいずれか１項に記載の電力変換装置。
【請求項５】
電力変換装置であって、
スイッチングにより直流と交流を変換する複数のスイッチング素子と、
前記スイッチング素子とコンデンサとを含む単位ユニットと、
前記単位ユニットを少なくとも１つ含む単位アームと、
一対の前記単位アームの間に、漏れインダクタンス成分により短絡電流を抑制するように、一次巻線が接続されたトランスと、
を有し、
前記単位ユニットにおける前記スイッチング素子は、複数が直列に接続され、
前記単位ユニットにおける前記コンデンサは、前記スイッチング素子に並列に接続され、
前記単位アームにおける前記単位ユニットは、１つ若しくは複数直列に接続され、
前記一対の単位アームは、三相に対応して設けられ、
前記トランスは、各相ごとに、一次巻線と二次巻線とが共通の鉄心に巻回され、
各相における一次巻線は、２つ設けられ、
各相における一方の単位アームの端部は、前記トランスの一方の一次巻線に接続され、
各相における他方の単位アームの端部は、前記トランスの他方の一次巻線に接続され、
各相における前記トランスの２つの一次巻線の中性点は、互いに接続され、
各相における前記トランスの二次巻線の負側は、三相間で互いに接続されていることを特徴とする電力変換装置。
【請求項６】
電力変換装置であって、
スイッチングにより直流と交流を変換する複数のスイッチング素子と、
前記スイッチング素子とコンデンサとを含む単位ユニットと、
前記単位ユニットを少なくとも１つ含む単位アームと、
一対の前記単位アームの間に、漏れインダクタンス成分により短絡電流を抑制するように、一次巻線が接続されたトランスと、
を有し、
前記単位ユニットにおける前記スイッチング素子は、複数が直列に接続され、
前記単位ユニットにおける前記コンデンサは、前記スイッチング素子に並列に接続され、
前記単位アームにおける前記単位ユニットは、１つ若しくは複数直列に接続され、
前記一対の単位アームは、三相に対応して設けられ、
前記トランスは、各相に一次巻線を２つ有する三相トランスであり、
各相における一方の単位アームの端部は、前記三相トランスの一方の一次巻線に接続され、
各相における他方の単位アームの端部は、前記三相トランスの他方の一次巻線に接続され、
各相における前記三相トランスの２つの一次巻線の中性点は、互いに接続され、
各相における前記三相トランスの二次巻線の負側は、三相間で互いに接続されていることを特徴とする電力変換装置。
【発明の詳細な説明】
【技術分野】
【０００１】
本発明の実施形態は、交流と直流との間で相互に電力を変換する電力変換装置に関するものである。
【背景技術】
【０００２】
交流と直流との間で相互に電力の変換を行う電力変換装置は、種々の用途に使用されている。たとえば、電力系統の交流を直流に変換するコンバータや、直流を交流に変換してモータ駆動に用いるインバータとしては、三相２レベルのタイプが使用されてきた。三相２レベルとは、６個のスイッチのオンオフという２レベルでの切り替えを行うことで、直流と三相交流との変換を行う手法である。
【０００３】
オンオフの切り替えであるスイッチングを行うスイッチング素子は、半導体素子が用いられる。一般的には、ＩＧＢТ（Insulated Gate Bipolar Transistor）が、スイッチング素子として用いられる。三相２レベルインバータは、このスイッチング素子を、上記のように、最小限６個で構成することができる。
【０００４】
三相２レベルインバータの制御方法は、一般的には、ＰＷＭ制御である。ＰＷＭ制御は、パルス幅を制御することにより、出力される交流電圧の大きさを制御する方法である。たとえば、入力される直流電圧をＶｄｃとしたとき、各相ごとに、所定のタイミングで＋Ｖｄｃ／２と−Ｖｄｃ／２の２値の切替を行う。これにより、三相２レベルインバータからの出力波形を、擬似的に生成された交流の波形とすることができる。
【０００５】
ところで、最近では、交流送電と比べて、電力の損失の少ない大規模な直流送電の必要性が高まっている。たとえば、海底ケーブルによる送電、５０Ｈｚ−６０Ｈｚの変換、遠隔の大規模太陽光発電システムから消費地への長距離直流送電などが、注目されている。
【０００６】
このような直流送電の場合、オンオフの対象となる直流が３００ｋＶなどの超高電圧となる。一方、スイッチング素子として用いられるＩＧＢТは、定格が６５００Ｖ程度である。そこで、これを多数直列に接続したマルチレベルインバータとすることにより、個々のスイッチング素子にかかる電圧を小さくすることができる。
【先行技術文献】
【非特許文献】
【０００７】
【特許文献１】特表２０１０−５１２１３４号公報
【発明の概要】
【発明が解決しようとする課題】
【０００８】
上記のような電力変換装置においては、スイッチングに応じて電圧の出力の有無を切り替える電圧源として、コンデンサが用いられている場合がある。かかる場合には、たとえば、２つのスイッチング素子に直流コンデンサを並列に接続した単位ユニットが構成されている。このような単位ユニットでは、一方のスイッチング素子がオンのときに、直流コンデンサ分の電圧が出力され、他方のスイッチング素子がオンのときに、ゼロ電圧となる。
【０００９】
各単位ユニットの構成要素である直流コンデンサは、適宜充放電が行われるように、電圧値を一定に制御する必要がある。このため、単位ユニットには、直流電源を還流させる還流電流を、常時流すことが必要となる。より具体的には、各相毎に、充放電のための短絡経路を設ける必要がある。
【００１０】
しかし、三相用の電力変換装置においては、三相を同一の直流電源に接続している。このため、各相の直流電圧合成値がわずかでも異なると、相間に過大な短絡電流が流れてしまい、機器に影響を与える可能性がある。各相の直流電圧合成値の平均値が一致していても、オンオフのタイミングや周期が異なれば、同様の問題が生じる。
【００１１】
これに対処するため、各相にバッファリアクトルを挿入し、短絡電流が過大にならないように制限を加えている。しかし、このバッファリアクトルを用いることは、結局、装置全体の大型化、高コスト化を招くことになる。
【００１２】
本発明の実施形態は、バッファリアクトルのような高コスト、大型のリアクトルを省略でき、安価で小型の電力変換装置を提供することを目的とする。
【課題を解決するための手段】
【００１３】
上記のような課題を解決するため、実施形態の電力変換装置は、以下の構成を有することを特徴としている。
(1) スイッチングにより直流と交流を変換する複数のスイッチング素子
(2) 前記スイッチング素子とコンデンサとを含む単位ユニット
(3) 前記単位ユニットを少なくとも１つ含む単位アーム
(4) 一対の前記単位アームの間に、漏れインダクタンス成分により短絡電流を抑制するように、一次巻線が接続されたトランス
(5)前記単位ユニットにおける前記スイッチング素子は、複数が直列に接続されている。
(6)前記単位ユニットにおける前記コンデンサは、前記スイッチング素子に並列に接続されている。
(7)前記単位アームにおける前記単位ユニットは、１つ若しくは複数直列に接続されている。
(8)前記一対の単位アームは、三相に対応して設けられている。
(9)前記トランスは、各相ごとに２つ設けられた単相トランスである。
(10)各相における一方の単位アームの端部は、一方の単相トランスの一次巻線の正側に接続されている。
(11)各相における他方の単位アームの端部は、他方の単相トランスの一次巻線の正側に接続されている。
(12)各相における２つの単相トランスの一次巻線の負側同士は、互いに接続されている。
(13)各相における２つの単相トランスの一次巻線の負側は、三相間でも互いに接続されている。
(14)各相における２つの単相トランスの二次巻線同士は、互いに接続されている。
(15)各相における前記２つの単相トランスの二次巻線の負側は、三相間でも互いに接続されている。
【図面の簡単な説明】
【００１４】
【図１】実施形態の電力変換装置の構成例を示す回路図
【図２】図１の単位ユニットを示す回路図
【図３】リアクトルを用いた電力変換装置の構成例を示す回路図
【図４】図１の一相を簡略に示した回路図
【図５】正側の単位ユニットの電圧波形（Ａ）、負側の単位ユニットの電圧波形（Ｂ）を示す図
【図６】正側トランス一次巻線の電圧波形（Ａ）、負側トランス一次巻線の電圧波形（Ｂ）、トランス二次巻線の電圧波形（Ｃ）を示す図
【図７】トランス二次巻線を各相並列に接続した一例を示す回路図
【図８】各相のトランスの一次二次巻線を共通の鉄心とした一例を示す構成図
【図９】三相トランスを用いた一理例を示す構成図
【発明を実施するための形態】
【００１５】
［Ａ．実施形態の構成]
［１．全体構成］
本実施形態の構成を、図１及び図２を参照して説明する。本実施形態は、三相の交流系統と直流系統との間に接続され、交流と直流との変換を行う電力変換装置である。この電力変換装置は、三相毎に、正側と負側の相アームである単位アーム１０Ｐ、１０Ｎを有している。この単位アーム１０Ｐ、１０Ｎは、トランス４０Ｐ、４０Ｎを介して交流系統に接続されている。
【００１６】
［２．単位アーム］
正側の単位アーム１０Ｐ、負側の単位アーム１０Ｎは、Ｎ個の単位ユニットＣを直列に接続したものである。単位ユニットＣは、後述するチョッパブリッジ単位変換器である。なお、図１は、Ｎ＝２の例であるが、Ｎ≧１であればよい。
［３．単位ユニット］
単位ユニットＣであるチョッパブリッジ単位変換器は、図２に示すように、レグ２０とコンデンサ３０を並列に接続したものである。レグ２０においては、自己消弧能力を持つ２個のスイッチング素子２１Ｕ、２１Ｘが、直列に接続されている。このスイッチング素子２１Ｕ、２１Ｘとしては、たとえば、ＩＧＢТを用いる。各スイッチング素子２１Ｕ、２１Ｘには、逆並列にダイオード２２Ｕ、２２Ｘが接続されている。このダイオード２２Ｕ、２２Ｘは、フィードバックダイオードである。
【００１７】
［４．トランス］
トランス４０Ｐ、４０Ｎは、一次二次巻線間の巻線比１：１である絶縁用の単相トランスである。トランス４０Ｐ、４０Ｎは、各相毎に、正側と負側に分けて設けられている。なお、トランス４０Ｐ、４０Ｎの一次二次巻線における正側は、黒点で示す。
【００１８】
［５．各部の接続関係］
正側の各相の単位アーム１０Ｐの一端は、それぞれ直流電源の正側に接続されている。各相の単位アーム１０Ｐの他端は、それぞれ正側のトランス４０Ｐの一次巻線の正側に接続されている。
【００１９】
負側の各相の単位アーム１０Ｎの一端は、それぞれ直流電源の負側に接続されている。各相の単位アーム１０Ｎの他端は、それぞれ負側のトランス４０Ｐの一次巻線の正側に接続されている。
【００２０】
各相における正側のトランス４０Ｐの一次巻線の負側と、負側のトランス４０Ｎの一次巻線の負側とは、互いに接続されている。また、正側のトランス４０Ｐの一次巻線の負側と、負側のトランス４０Ｎの一次巻線の負側は、Ｕ相、Ｖ相、Ｗ相の三相間でも互いに接続されている。
【００２１】
各相における正側のトランス４０Ｐの二次巻線と、負側のトランス４０Ｎの二次巻線とは、直列に接続されている。負側のトランス４０Ｎの二次巻線の負側は、Ｕ相、Ｖ相、Ｗ相の三相間で互いに短絡接続されている。正側のトランス４０Ｐの二次巻線の正側は、Ｕ相、Ｖ相、Ｗ相の接続端として交流側に接続されている。
【００２２】
［Ｂ．実施形態の作用］
［１．漏れインダクタンスの利用］
実際のトランスには、磁気漏れによる漏れ磁束が必ず存在する。この漏れ磁束は、変圧作用に寄与せずに、一次側及び二次側の巻線の漏れインダクタンスとして働く。
【００２３】
本実施形態においては、後述のように直流循環電流が流れる際に、絶縁トランスとしてのトランス４０Ｐ、４０Ｎの一次側の巻線が、直流循環電流の経路となっている。このため、トランス４０Ｐ、４０Ｎの一次巻線の漏れインダクタンス成分によって、リアクトルと同様に、直流循環電流の急増が抑制される。
【００２４】
たとえば、図３に示すように、リアクトルＬを設置して、絶縁トランスТを系統への出力と絶縁のために用いた場合、絶縁トランスＴの巻線部分をリアクトルとして利用することはできない。本実施形態においては、上記のような結線構造とすることにより、トランス４０Ｐ、４０Ｎの一次側の漏れインダクタンス成分を、リアクトルとして機能させることができる。
【００２５】
［２．高調波の抑制］
また、半導体素子によるスイッチングにおいては、ひずみ波が発生する。そして、このひずみ波に含まれる高調波成分が、機器に影響を与える。これに対処するため、たとえば、発生した高調波を吸収するフィルタを挿入することが考えられる。このフィルタは、一般的には、高調波成分を抑制するリアクトルやコンデンサで構成できる。
【００２６】
しかし、電力系統に流れ出す高調波成分を、他の機器に影響を及ぼさないレベルまで低減させるには、大きな容量のフィルタが必要となる。このため、フィルタに必要となるリアクトルやコンデンサが大型化し、コスト向上と、重量増加を招く。
【００２７】
本実施形態においては、単位ユニットＣを直列に多段に接続したマルチレベル変換装置を構成している。これにより、出力波形を、より正弦波に近づけることができ、高調波を抑制できる。
【００２８】
［３．交流電圧出力動作］
本実施形態による交流波形の出力動作を、図４〜図６を用いて説明する。なお、図４では、説明の簡略化のため、正側と負側で単位ユニットＣを１つずつとしている。まず、図４に示すように、直流電源の中性点を接地点として電圧基準とする。
【００２９】
そして、
Ｖｕ…接地点からみた交流出力点の電圧
Ｖｄｃ…直流電源の正負それぞれの電圧
Ｖｃ…単位ユニットＣのコンデンサ３０の電圧
ＶｕＰ…正側電源側に接続される単位ユニットＣの出力電圧
ＶｕＮ…負側電源側に接続される単位ユニットＣの出力電圧
ＶｕＲｅｆ…上位のシステムで演算される出力したい交流電圧指令
とする。
【００３０】
すると、正側の単位ユニットＣの出力電圧ＶｕＰは、以下の通りである。
（数１）
ＶｕＰ＝Ｖｄｃ−ＶｕＲｅｆ
このＶｕＰの電圧波形を、図５（Ａ）に示す。また、正側のトランス４０Ｐにおける一次巻線の電圧ＶｔｒＰ１の波形を、図６（Ａ）に示す。
【００３１】
この時、出力電圧Ｖｕは以下のように出力される。
（数２）
Ｖｕ＝Ｖｄｃ−ＶｕＰ＝Ｖｄｃ−（Ｖｄｃ−ＶｕＲｅｆ）＝ＶｕＲｅｆ
【００３２】
一方、負側の単位ユニットＣの出力電圧ＶｕＮは、以下の通りである。
（数３）
ＶｕＮ＝Ｖｄｃ−ＶｕＲｅｆ
このＶｕＮの電圧波形を、図５（Ｂ）に示す。また、正側のトランス４０Ｎにおける一次巻線の電圧ＶｔｒＮ１の波形を、図６（Ｂ）に示す。
【００３３】
この時、出力電圧Ｖｕは以下のように出力される。
（数４）
Ｖｕ＝−Ｖｄｃ＋ＶｕＮ＝−Ｖｄｃ＋（Ｖｄｃ―ＶｕＲｅｆ）＝−ＶｕＲｅｆ
【００３４】
トランス４０Ｐの一次巻線、二次巻線は減極性、トランス４０Ｎの一次巻線、二次巻線は加極性となっているので、図６（Ｃ）に示すように、二次側で合成された電圧Ｖｔｒ２が出力される。
【００３５】
［４．直流充放電動作］
交流負荷電流をＩｕとすると、このＩｕは、正側の単位ユニットＣと負側の単位ユニットＣとにそれぞれ流れる。この時、正側の単位ユニットＣのコンデンサ３０は、以下の式で表される電力ＰｏｗｅｒＰによって充放電がなされる。
【００３６】
（数５）
ＰｏｗｅｒＰ＝ＶｕＰ×Ｉｕ＝（Ｖｄｃ−ＶｕＲｅｆ）×Ｉｕ
【００３７】
ＶｕＲｅｆとＩｕが同位相、すなわち力率１で動作している場合について計算すると、交流１周期でのＰｏｗｅｒＰの平均値はマイナスとなる。すなわち、上記のような出力電圧制御を行うと、正側の単位ユニットＣのコンデンサ電圧平均値は一定に保つことができず、運転継続ができない。
【００３８】
同様に、負側の単位ユニットＣのコンデンサ電圧も、力率１の時のＰｏｗｅｒＮは、交流１周期での平均値がプラスとなり、コンデンサ電圧平均値を一定に保つことができずに、運転継続できない。
【００３９】
これに対処するため、直流電源の正側から正側の単位ユニットＣ、正側のトランス４０Ｐ、負側のトランス４０Ｎ、負側の単位ユニットＣ、直流電源の負側という経路で、直流で充放電電流を流す。これにより、コンデンサ電圧の平均値を一定にする。
【００４０】
具体的には、以下の式により、コンデンサ電圧の平均値を一定に制御するための補正値ΔＶｆｃＣｏｎｔｒｏｌを演算する。そして、この補正値ΔＶｆｃＣｏｎｔｒｏｌにより、正側及び負側の単位ユニット出力電圧ＶｕＰ、ＶｕＮを補正出力する。
【００４１】
（数６）
ΔＶｆｃＣｏｎｔｒｏｌ＝Ｇ（ｓ）×（ＶＣｒｅｆ−ＶＣｕ＿ＡＶＥ）
ＶＣｒｅｆ…単位ユニットＣのコンデンサ電圧指令値（あらかじめ設定される値）
ＶＣｕ＿ＡＶＥ…Ｕ相正負全単位ユニットのコンデンサ電圧平均値
Ｇ（ｓ）…制御ゲイン  ｓはラプラス演算子  比例積分制御が適する
【００４２】
［Ｃ．実施形態の効果］
以上のような本実施形態によれば、直流循環電流の急増を、トランス４０Ｐ、４０Ｎの一次側の漏れインダクタンスを利用して抑制し、単位ユニットＣのコンデンサ電圧の平均値を一定に制御できる。したがって、バッファリアクトルのような大型で高コストの装置を設置すること無く、小型で低コストの電力変換装置を構成することができる。
【００４３】
かかる構造は、マルチレベル変換装置として構成した場合に、特に有効となる。つまり、スイッチング素子２１Ｕ、２１Ｘは、リアクトル等に比べて所要スペースは小さいが、多段に接続する場合には、数が増える程、所要スペースは拡大する。しかし、本実施形態では、リアクトル分のスペースを節約できるので、接続されるスイッチング素子２１Ｕ、２１Ｘの数が増大しても、大型化を防止できる。
【００４４】
［Ｄ．他の実施形態］
本発明の実施形態は、上記の形態には限定されない。
（１）たとえば、図７に示すように、上記の実施形態の各相において、トランス４０Ｐ、４０Ｎの二次巻線を互いに並列に接続してもよい。直列に接続するか、並列に接続するかは、接続される直流系統、交流系統、負荷等に応じて、適宜選択される。
【００４５】
（２）また、上記の実施形態では、各相を一対のトランス４０Ｐ、４０Ｎによって構成していた。しかし、図８に示すように、２つのトランス４０Ｐ、４０Ｎの鉄心Ｍを共通化した構成とすることも可能である。
【００４６】
すなわち、図８では、各相ごとに、一次巻線と二次巻線とが共通の鉄心Ｍに巻回されている。一次巻線は、正側と負側で２つ設けられている。一方の一次巻線の端部は、各相における単位アーム１０Ｐの一方の端部に接続されている。他方の一次巻線の端部は、各相における単位アーム１０Ｎの一方の端部に接続されている。２つの一次巻線の中性点は、互いに接続されている。
【００４７】
また、各相における二次巻線の負側は、三相間で互いに接続されている。各相における二次巻線の正側は、Ｕ相、Ｖ相、Ｗ相の接続端として交流側に接続されている。
【００４８】
かかる構成とすることにより、図中、Ｉｃｈａｒｇｅで示すように、短絡電流が流れることにより、コンデンサの直流充放電電流となる。この直流充放電電流により発生する直流磁束は、相互に打ち消し合うことになる。このため、飽和磁束密度を小さくすることができ、鉄心Ｍの更なる小型化が可能となる。なお、図中のＩｕＰとＩｕＮは、正側と負側の入力電流、ＩｕＰ＋ＩｕＮは出力電流である。
【００４９】
また、このような各相ごとのトランスは、２つの単相トランスを合わせたものと捉えることもできるし、２つの一次巻線を有する単一のトランスと捉えることもできる。また、上記のように、各相の二次巻線についても、２つを並列に接続した構成とすることもできる。
【００５０】
（３）さらに、上記の実施形態においては、トランス４０Ｐ、４０Ｎを三相個別にそれぞれ設置していた。しかし、図９に示すように、三相トランスの巻線構成によって、実施形態を実現することも可能である。たとえば、三相三脚トランスの各脚における巻線構成を下記のようにする。
【００５１】
すなわち、図９に示す三相トランスは、各相に一次巻線を２つ有する。三相トランスの一方の一次巻線の端部Ｕｐ、Ｖｐ、Ｗｐは、各相における単位アーム１０Ｐの端部に接続されている。三相トランスの他方の一次巻線の端部Ｕｎ、Ｖｎ、Ｗｎは、各相における単位アーム１０Ｎの端部に接続されている。三相トランスの各相における２つの一次巻線の中性点は、互いに接続されている。
【００５２】
三相トランスの二次巻線の負側は、三相間で互いに接続されている。三相トランスの各相における二次巻線の正側の端部Ｕｓ、Ｖｓ、Ｗｓは、Ｕ相、Ｖ相、Ｗ相の接続端として交流側に接続されている。
【００５３】
かかる構成とすることにより、上記と同様に各相の直流磁束が相互に打ち消されることによる効果が得られる。また、三相三脚トランス等により構成するので、さらなる小型化を達成できる。また、上記のように、各相の二次巻線についても、２つを並列に接続した構成とすることもできる。
【００５４】
（４）なお、上記の実施形態は、同様の構成によって、直流から交流、交流から直流の変換を行うことができる。つまり、本実施形態の電力変換装置は、インバータとしてもコンバータとしても構成することができる。また、電力変換装置の交流系統側をΔ結線としてもよいし、中性点を設けた三相Ｙ結線としてもよい。
【００５５】
（５）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１０Ｐ、１０Ｎ…単位アーム
２０…レグ
２１Ｕ、２１Ｘ…スイッチング素子
３０…コンデンサ
４０Ｐ、４０Ｎ…トランス
Ｃ…単位ユニット
Ｍ…鉄心
Т…絶縁トランス
【図１】
0005881386.tif 000002
【図２】
0005881386.tif 000003
【図３】
0005881386.tif 000004
【図４】
0005881386.tif 000005
【図５】
0005881386.tif 000006
【図６】
0005881386.tif 000007
【図７】
0005881386.tif 000008
【図８】
0005881386.tif 000009
【図９】
0005881386.tif 000010